(57)【特許請求の範囲】
【請求項１】
金属板製の第１の筐体と、
この第１の筐体が重ね合わされて固定され内部に素子収納空間を形成する金属板製の第２の筐体と、を有する携帯機器用の筐体において、
前記第２の筐体には、アンテナが取り付けられるとともに、当該第２の筐体には、前記第１の筐体が、さらに、前記アンテナと隣接する位置にて当該アンテナに固定された状態で取り付けられ、
前記第１の筐体は、その前記アンテナ側の端縁に設けられ前方部分が後方部分より低い段付き形状をなし且つ金属製のフック部を有し、
前記アンテナは、その前記第１の筐体側の端縁に設けられ前記フック部が挿入される孔部を有し、
前記フック部が前記孔部に挿入された状態で前記フック部の前記前方部分が前記アンテナの孔部の下面に係止されることを特徴とする携帯機器用の筐体。
【請求項２】
前記フック部は前記第１の筐体とは別体で成形された金属板製の部材であり、前記第１の筐体に溶接により接合されたものであることを特徴とする請求項１に記載の携帯機器用の筐体。
【請求項３】
前記フック部は前記第１の筐体と一体成形された金属板製の部材であることを特徴とする請求項１に記載の携帯機器用の筐体。
【請求項４】
前記フック部を前記孔部に挿入し嵌合させた状態で、前記アンテナの面は前記第１の筐体の面よりも上方に突出していることを特徴とする請求項１乃至３のいずれか１項に記載の携帯機器用の筐体。
【発明の詳細な説明】
【技術分野】
【０００１】
本発明は、携帯電話、小型テレビ、小型ラジオなど、外観面の一部を構成する携帯機器用の筐体に関する。
【背景技術】
【０００２】
近時、携帯端末の小型化及び薄型化が進行しており、このため、筐体の一部にステンレス合金等の薄くて高剛性な金属板が使用されるようになってきた。この金属板は、プレス加工等の板金により、成形されている。アンテナについては、アンテナ特性に影響を与えないようにするため、アンテナ素子と周囲の金属類は一定の距離を設ける必要があることから、装置の小型化を実現するためには、実装場所が限定され、板金製の筐体の嵌合部をアンテナ側に大きく突出させることができないという問題点がある。このように、端末の小型化及び薄型化と、無線特性確保との両立のため、アンテナ素子と周囲の金属類は一定の距離を設ける必要があるために、筐体の外観面に露出して配置されることがある。
【０００３】
一方、板金製の筐体とアンテナが隣接した配置の場合、上述のアンテナ素子と周囲の金属類間の距離確保のため、嵌合フック等を筐体から突出させることができない。しかし、このように、板金製の筐体と外観面に露出したアンテナが隣接して配置されている場合、アンテナと板金製の筐体間に嵌合部を設けないと、外力が加わったときにアンテナ及び筐体が変形し、板金製の筐体の端部が露出してしまうという問題点がある。
【０００４】
また、アンテナ側の樹脂部を延長して金属筐体に結合させようとした場合、結合部の実装スペースが必要であり、端末の小型化を阻害してしまうという問題点が生じる。
【０００５】
【特許文献１】特開２００４−３１７５８８号公報
【発明の開示】
【発明が解決しようとする課題】
【０００６】
本発明はかかる問題点に鑑みてなされたものであって、プレス成形等により得た筐体と、その筐体に隣接し外観面が樹脂で被覆されたアンテナで構成された携帯機器において、外力が加わったときに板金製等の金属板製筐体がめくれ難く、またアンテナ特性にも影響せず、かつ少ない実装スペースの中で実現できる構造の携帯機器用の筐体を提供することを目的とする。
【課題を解決するための手段】
【０００７】
本発明に係る携帯機器用の筐体は、金属板製の第１の筐体と、この第１の筐体が重ね合わされて固定され内部に素子収納空間を形成する金属板製の第２の筐体と、を有する携帯機器用の筐体において、前記第２の筐体には、アンテナが取り付けられるとともに、当該第２の筐体には、前記第１の筐体が、さらに、前記アンテナと隣接する位置にて当該アンテナに固定された状態で取り付けられ、前記第１の筐体は、その前記アンテナ側の端縁に設けられ前方部分が後方部分より低い段付き形状をなし且つ金属製のフック部を有し、前記アンテナは、その前記第１の筐体側の端縁に設けられ前記フック部が挿入される孔部を有し、前記フック部が前記孔部に挿入された状態で前記フック部の前記前方部分が前記アンテナの孔部の下面に係止されることを特徴とする。
【０００８】
本発明においては、金属板製の第１の筐体と第２の筐体とは、ねじ止め等により相互に固定されており、アンテナと第２の筐体とがねじ止め等により相互に固定されている。そして、フック部が第１の筐体に溶接等により固定されるか、又は第１の筐体に一体成形されており、このフック部をアンテナの孔部に挿入し、フック部の段付き形状の前方下段部を前記孔部の下面で係止させて、第１の筐体とアンテナとが相互に固定されている。このため、携帯機器に外力が作用し、アンテナと第１の筐体とが開く方向に応力が作用しても、前記フック部が前記孔部に係止されているので、第１の筐体がめくれてしまうことが防止される。また、アンテナ特性を劣化させず、実装スペースが小さくて済む。
【０００９】
本発明においては、前記フック部は前記第１の筐体とは別体で成形された金属板製の部材であり、前記第１の筐体に溶接により接合されたものであるか、又は前記フック部は前記第１の筐体と一体成形されたものであることが好ましい。
【００１０】
また、前記フック部を前記孔部に挿入し嵌合させた状態で、前記アンテナの面は前記第１の筐体の面よりも上方に突出していることが好ましい。
【発明の効果】
【００１１】
本発明によれば、携帯機器に外力が作用し、アンテナと第１の筐体とが開く方向に応力が作用しても、前記フック部が前記孔部に係止されているので、第１の筐体がめくれてしまうことが防止される。また、上記構造により、アンテナ特性を劣化させることがなく、また実装スペースが小さくて済み、端末の小型化を阻害することがない。
【発明を実施するための最良の形態】
【００１２】
以下、本発明の実施の形態について、添付の図面を参照して具体的に説明する。図１は、本発明の第１の実施形態に係る携帯機器の組立斜視図、図２は組立後の斜視図、図３（ａ）乃至（ｃ）はその動作を示す図２のＡ−Ａ線による断面図である。
【００１３】
第１の筐体１及び第２の筐体３は、金属板をプレス成形等の板金により箱状に成形したものである。第２の筐体３はその１方の端部の若干の部分が側壁が若干高いものとなっている。そして、第２の筐体３の側壁が低い部分に、第１の筐体１の側壁が重ねられて、第１の筐体１及び第２の筐体３により囲まれた空間に、素子が収納されるようになっている。アンテナ２は第１の筐体１に隣接するように配置され、第２の筐体３の側壁の若干高い部分に重ねられている。アンテナ２はその外観が絶縁層としての樹脂で被覆されており、金属板製の第１の筐体１及び第２の筐体３に接触しても、アンテナ特性が劣化することはない。
【００１４】
第２の筐体３の４隅部には、ボルト４ａ、４ｂが螺合するねじ孔付きのボス３１，３２が設けられている。また、第１の筐体１のアンテナ２から離れた側の端部には、ボルト４ａが挿通する孔１２が形成されており、この孔１２にボルト４ｂを挿入し、孔１２を挿通してボルト４ｂをボス３２のねじ孔に螺合させることにより、第１の筐体１が第２の筐体３に固定されるようになっている。また、アンテナ２の第１の筐体１側の端部には、ボルト４ｂが挿通する孔２２が形成されており、この孔２２にボルト４ａを挿入し、孔２２を挿通してボルト４ａをボス３１のねじ孔に螺合させることにより、アンテナ２が第２の筐体３に固定されるようになっている。
【００１５】
第１の筐体１のアンテナ２側の端部１３には、２個のフック部１１が設けられている。このフック部１１は、断面がカギ形又はクランク形状をなし、後方部分が高く、前方部分が低い段付き形状をなしている。そして、このフック部１１は、第１の筐体１と同様に金属板のプレス成形により成形されており、後方の上段部分が第１の筐体１の内面にスポット溶接等により固定されている。一方、アンテナ２の第１の筐体１側の端部２３には、平面視でコ字状の孔部２１が、アンテナ２の端面から突出するようにして形成されている。これにより、孔部２１は、アンテナ２の端部２３と共に、４辺が囲まれた矩形の孔を構成している。
【００１６】
上述の如く構成されたアンテナ２，第１の筐体１及び第２の筐体３は、以下のようにして組み立てられる。先ず、アンテナ２を第２の筐体３の上に重ね、ボルト４ａを孔２２に挿通させて、第２の筐体３のボス３１のねじ孔に螺合させる。そして、第１の筐体１のフック部１１を孔部２１内に挿入しフック部１１の前方部分の下段部分を孔部２１の周縁部の下面に係止させる。この状態で、アンテナ２の上面と、第１の筐体１の上面とが、ほぼ面一になり、ボルト４ｂを孔１２に挿通させて第２の筐体３のボス３２のねじ孔に螺合させる。これにより、第１の筐体１及びアンテナ２と第２の筐体３とが固定され、更に、アンテナ２と第１の筐体１とが係合固定される。
【００１７】
図３（ａ）に示すように、各部材が組み立てられた状態で、アンテナ２の上面と、第１の筐体１の上面とがほぼ面一になっている。これに対し、図３（ｂ）に示すように、この携帯機器に、外力が作用した場合、アンテナ２と第１及び第２の筐体１，３との間には、アンテナ２と第１の筐体１とが離隔する方向の応力がアンテナ２と第１の筐体１との間の境界２９に作用する。これにより、第１の筐体１のアンテナ２側の端部１３が持ち上がろうとするが、第１の筐体１に固定されたフック部１１の前方部分の下段部分がアンテナ２の孔部２１の下面に係止されているので、第１の筐体１の端部１３が持ち上がることはない。これにより、第１の筐体１がめくれ上がることがない。従って、外力が作用しても、第１の筐体１の端部１３の角部が外面に露出することが抑制される。また、本実施形態においては、この結合部により、携帯機器が大型化することもなく、アンテナ特性が劣化することもない。
【００１８】
よって、本発明によれば、外力が加わったときに板金筐体の嵌合端面がめくれ難い嵌合構造が得られる。そして、上記嵌合構造をアンテナ特性に影響を与えないで且つ、少ない実装スペースの中で実現することができる。
【００１９】
次に、本発明の第２実施形態について説明する。図４に示すように、本実施形態においては、アンテナ２，第１及び第２の筐体１，３を組み立てた状態で、アンテナ２の上面と、第１の筐体１の上面とは、若干の段差Ｃを有している。
【００２０】
本実施形態も第１実施形態と同様の効果を奏するが、本実施形態においては、第１の筐体１の上面がアンテナ２の上面より、Ｃだけ下方になるように段差が設けられているので、外力が作用したときに、第１の筐体１のアンテナ２側の端部が境界２９でアンテナ２の上面より上方に突出することがより一層確実に防止される。
【００２１】
次に、本発明の第３実施形態について、図５を参照して説明する。本実施形態は、第１の筐体１のフック部１１を、第１の筐体１と別体で成形するのではなく、第１の筐体１の部分を金属板の打ち抜き及びプレス成形等により板金加工で製造する際に、第１の筐体１の金属板と同一の金属板の端部に図５に示す段差形状を形成することにより、第１の筐体１とフック部１１とを一体成形することができる。このように、フック部１１を第１の筐体１と一体成形することにより、加工時間及び加工費用を低減することができる。
【図面の簡単な説明】
【００２２】
【図１】本発明の第１実施形態に係る携帯機器の組立方法を示す斜視図である。
【図２】同じくこの第１実施形態の携帯機器を示す斜視図である。
【図３】（ａ）、（ｂ）は第１実施形態の動作を示す断面図である。
【図４】本発明の第２実施形態に係る携帯機器の構造を示す断面図である。
【図５】本発明の第３実施形態に係る携帯機器の一部を示す斜視図である。
【符号の説明】
【００２３】
１：第１の筐体
２：アンテナ
３：第２の筐体
４ａ、４ｂ：ボルト
１１：フック部
１２：孔
１３：端部
２１：孔部
２２：孔
２３：端部
２９：境界
３１、３２：ボス
【図１】
0004595744.tif 000002
【図２】
0004595744.tif 000003
【図３】
0004595744.tif 000004
【図４】
0004595744.tif 000005
【図５】
0004595744.tif 000006